(57)【要約】【課題】読取画像に発生するスジを抑制する。【解決手段】画像読取装置の照射部は、照射対象部材に光を照射する。複数の光電変換素子２０１Ｂは、第１方向に沿って配列され、照射対象部材による反射光を受光すると共に受光した該反射光の光量に応じた強度の出力信号を出力する。複数のレンズ２０１Ａは、第１方向に沿って配列され、照射対象部材による反射光を複数の光電変換素子２０１Ｂへ集光させる。白補正部２０５は、画像データをシェーディング補正する。算出部２０５Ａは、シェーディングデータにおける出力レベルの強度分布の第１ピーク位置と、第２時間に濃度基準部材による反射光を受光した複数の光電変換素子２０１Ｂから出力された出力信号の強度分布の第２ピーク位置と、のずれ量を算出する。補正部２０５Ｂは、シェーディングデータを、算出されたずれ量を相殺するように補正する。【選択図】図３
2014060558.tif 000002
【特許請求の範囲】
【請求項１】
照射対象部材に光を照射する照射部と、
第１方向に沿って配列され、前記照射対象部材による反射光を受光すると共に受光した該反射光の光量に応じた強度の出力信号を出力する複数の光電変換素子と、
前記第１方向に沿って配列され、前記照射対象部材による前記反射光を複数の前記光電変換部へ集光させるレンズと、
第１時間に前記照射対象部材としての濃度基準部材による反射光を受光した前記複数の光電変換素子から出力された出力信号の出力レベルの強度分布によって示されるデータを、シェーディングデータとして用いて、前記照射対象部材としての原稿による反射光を受光した前記複数の光電変換素子から出力された出力信号の出力レベルの強度分布によって示される画像データをシェーディング補正する白補正部と、
前記シェーディングデータにおける出力レベルの強度分布の第１ピーク位置と、第２時間に前記濃度基準部材による反射光を受光した前記複数の光電変換部から出力された出力信号の強度分布の第２ピーク位置と、のずれ量を算出する算出部と、
前記シェーディングデータを、算出された前記ずれ量を相殺するように補正する補正部と、
を備えた画像読取装置。
【請求項２】
前記第１時間は、前記原稿から画像を読取る画像読取処理の開始時であり、
前記第２時間は、前記画時読取処理が開始された後で、且つ前記第１時間から予め定めた時間経過した後の時間である、
請求項１に記載の画像読取装置。
【請求項３】
前記照射部は、
前記第１方向に長く且つ該第１方向に光を導光すると共に、該第１方向の両端面から入射した光を該第１方向に交差する方向に出射する導光部材と、
前記導光部材の前記第１方向両端面の各々に光を照射する光源と、
を有する、
請求項１または請求項２に記載の画像読取装置。
【請求項４】
前記補正部は、
前記算出部で算出された前記ずれ量と、経時により加えられる温度の高い位置に配置された前記光電変換素子であるほど高い重み係数と、を用いて、各光電変換素子毎の第１ずれ量を算出し、前記シェーディングデータにおける、各光電変換素子から出力された出力信号に対応する画素の画素値を補正することによって、該シェーディングデータを補正する、
請求項１〜請求項３の何れか１項に記載の画像読取装置。
【請求項５】
請求項１〜請求項４の何れか１項に記載の画像読取装置を備えた自動原稿搬送装置。
【請求項６】
請求項１〜請求項４の何れか１項に記載の画像読取装置を備えた画像形成装置。
【発明の詳細な説明】
【技術分野】
【０００１】
本発明は、画像読取装置、自動原稿搬送装置、及び画像形成装置に関する。
【背景技術】
【０００２】
従来、画像読取装置において、光源や光学系の影響により生じた濃度ムラを含む画像から、濃度ムラを除くシェーディング補正が行われている。シェーディング補正に用いるシェーディングデータには、白色の濃度基準部材の読取結果を用いることが知られている。また、このシェーディング補正に要する時間の短縮を図り、画像読取間隔の短縮を図る試みもなされている。
【０００３】
例えば、特許文献１には、対向部材の複数個所の各々の光量基準値と、これらの複数個所の各々の光量変動値と、の比が１に最も近い箇所の光量基準値及び光量変動値を用いて、シェーディング補正後の画像データを更に補正することが開示されている。
【発明の概要】
【発明が解決しようとする課題】
【０００４】
ここで、読取対象物からの反射光を受光する受光部には、複数の光電変換素子と、複数のレンズと、を用いたものがある。複数のレンズは、読取対象物の搬送方向に対して交差する方向（主走査方向と称する場合がある）に沿って配列されており、主走査方向に配列された複数の光電変換素子に反射光を集光させる。このような構成の受光部を用いた場合、複数の光電変換素子、及び複数のレンズ、の少なくとも一方が光源の熱等により熱膨張することで、これらの相対的な位置関係にずれが生じる場合がある。
【０００５】
この場合、複数のレンズの各々によって光電変換素子側に集光される反射光の強度のピーク位置が、経時でずれる。このようなピーク位置のずれは、読取った画像に黒スジや白スジ等を発生させる要因となっていた。
【０００６】
本発明は、上記に鑑みてなされたものであって、読取画像に発生するスジを抑制することを目的とする。
【課題を解決するための手段】
【０００７】
上述した課題を解決し、目的を達成するために、本発明の画像読取装置は、照射部と、複数の光電変換素子と、複数のレンズと、白補正部と、算出部と、補正部と、を備える。照射部は、照射対象部材に光を照射する。複数の光電変換素子は、第１方向に沿って配列され、前記照射対象部材による反射光を受光すると共に受光した該反射光の光量に応じた強度の出力信号を出力する。複数のレンズは、前記第１方向に沿って配列され、前記照射対象部材による前記反射光を複数の前記光電変換部へ集光させる。白補正部は、第１時間に前記照射対象部材としての濃度基準部材による反射光を受光した前記複数の光電変換素子から出力された出力信号の出力レベルの強度分布によって示されるデータを、シェーディングデータとして用いて、前記照射対象部材としての原稿による反射光を受光した前記複数の光電変換素子から出力された出力信号の出力レベルの強度分布によって示される画像データをシェーディング補正する。算出部は、前記シェーディングデータにおける出力レベルの強度分布の第１ピーク位置と、第２時間に前記濃度基準部材による反射光を受光した前記複数の光電変換部から出力された出力信号の強度分布の第２ピーク位置と、のずれ量を算出する。補正部は、前記シェーディングデータを、算出された前記ずれ量を相殺するように補正する。
【発明の効果】
【０００８】
本発明によれば、読取画像に発生するスジを抑制することができる。
【図面の簡単な説明】
【０００９】
【図１】図１は、自動原稿搬送装置を示す模式図である。
【図２】図２は、自動原稿搬送装置の電気的構成を示すブロック図である。
【図３】図３は、読取部の電気的構成を示すブロック図である。
【図４】図４は、受光部及び受光部から出力された出力信号の説明図である。
【図５】図５は、シェーディングデータの説明図である。
【図６】図６は、レンズが主走査方向に熱膨張した場合の一例を示す模式図である。
【図７】図７は、光電変換素子が主走査方向に熱膨張した場合の一例を示す模式図である。
【図８】図８は、照射部の構成の一例を示す模式図である。
【図９】図９は、シェーディングデータの補正を示す説明図である。
【図１０】図１０は、シェーディングデータの補正を示す説明図である。
【図１１】図１１は、シェーディングデータの補正を示す説明図である。
【図１２】図１２は、読取処理の手順を示すフローチャートである。
【発明を実施するための形態】
【００１０】
以下に添付図面を参照して、画像読取装置、自動原稿搬送装置、及び画像形成装置の実施の形態を詳細に説明する。
【００１１】
図１は、自動原稿搬送装置（ＡＤＦ：Ａｕｔｏ  Ｄｏｃｕｍｅｎｔ  Ｆｅｅｄｅｒ）を示す模式図である。
【００１２】
自動原稿搬送装置１００は、画像読取りを行う画像読取装置１２を含む。自動原稿搬送装置１００は、読取対象の原稿を搬送し、画像読取装置１２で画像読取を行う。
【００１３】
自動原稿搬送装置１０は、原稿セット部Ａ、分離給送部Ｂ、レジスト部Ｃ、ターン部Ｄ、第一読取搬送部Ｅ、第二読取搬送部Ｆ、排紙部Ｇ、及びスタック部Ｈを備える。なお、画像読取装置１２は、少なくとも第２読取搬送部Ｆを備えた構成である。
【００１４】
原稿セット部Ａは、読取対象の原稿を保持する。分離給送部Ｂは、原稿セット部Ａに貯留された原稿から一枚毎に原稿を分離して給送する。レジスト部Ｃは、給送された原稿を一次突当整合する機能と、整合後の原稿を引き出し搬送する機能を有する。ターン部Ｄは、搬送される原稿の表裏を回転させて搬送する。第一読取搬送部Ｅは、原稿の表面画像を読み取り搬送する。第二読取搬送部Ｆは、原稿の裏面画像を読み取り搬送する。排紙部Ｇは、表裏の読み取りが完了した原稿を機外に排出する。スタック部Ｈは、読み取り完了後の原稿を積載保持する。
【００１５】
複数の原稿を積層した原稿束１０１は、可動原稿テーブル１０３を含む原稿テーブル１０２上にセットされる。原稿テーブル１０２上にセットされた原稿束１０１は、セットフィラ１０４およびセットセンサ１０５により検知される。
【００１６】
トフィラー１０４およびセットセンサ１０５による検知結果は、自動原稿搬送装置１０の各部を制御するコントローラ１４０を介して、自動原稿搬送装置１０全体を制御する本体制御部１６０に通知される。
【００１７】
原稿テーブル１０２には、検知センサ１３０及び検知センサ１３１が設けられている。これらの検知センサ１３０及び検知センサ１３１は、原稿テーブル１０２に載置された原稿の長さを検知する。検知センサ１３０及び検知センサ１３１は、例えば、反射型センサや、アクチェーター・タイプのセンサである。
【００１８】
可動原稿テーブル１０３は、底板上昇モータ１４５により上下方向（図１中、矢印ａ及び矢印ｂ方向）に上下動可能に配置されている。セットフィラ１０４及びセットセンサ１０５によって、原稿束１０１がセットされたことが検知されると、コントローラ１４０は、底板上昇モータ１４５を正転させて原稿束１０１の最上面がピックアップローラ１０７と接触するように可動原稿テーブル１０３を上昇させる制御を行う。
【００１９】
ピックアップローラ１０７は、ピックアップモータ１４１によりカム機構で上下方向（図１中、矢印ｃ及び矢印ｄ方向）に動作する。また、ピックアップローラ１０７は、可動原稿テーブル１０３の上昇により押されて矢印ｃ方向に上昇することで、テーブル給紙適正位置センサ１０８により上限を検知される。底板ＨＰセンサ１０６は、可動原稿テーブル１０３の位置を検知する。
【００２０】
自動原稿搬送装置１０には、操作部１７０が設けられている。操作部１７０は、ユーザからの各種操作指示を受け付ける。操作部１７０には、自動原稿搬送装置１０における各種動作実行を指示するための各種キーが設けられている。操作部１７０は、本体制御部１６０に電気的に接続されている。
【００２１】
ユーザによる操作部１７０の操作指示によって、操作部１７０のプリントキーが指示されると、本体制御部１６０からコントローラ１４０に原稿給紙信号が送信される。コントローラ１４０は、給紙モータ１４２を正転制御する。給紙モータ１４２が正転制御されると、ピックアップローラ１０２が回転駆動し、原稿テーブル１０２上の原稿を１枚ずつピックアップする。
【００２２】
給紙ベルト１０９は、給紙モータ１４２の正転により給紙方向に駆動される。リバースローラ１１０は、給紙モータ１４２の正転により給紙と逆方向に回転駆動される。これによって、原稿束１０１から最上位の原稿とその下の原稿とを分離して、最上位の原稿のみを給紙できる構成となっている。
【００２３】
給紙ベルト１０９とリバースローラ１１０との作用により１枚に分離された原稿は、給紙ベルト１０９によって搬送される。そして、原稿は、突き当てセンサ１１１に搬送方向上流側端部が検知され、さらに進んで停止しているプルアウトローラ１１２に突き当たる。その後、前出の突き当てセンサ１１１の検知から所定量定められた距離送られ、結果的には、プルアウトローラ１１２に所定量撓みを持って押し当てられた状態で給紙モータ１４２を停止させることにより、給紙ベルト１０９の駆動が停止する。
【００２４】
この時、ピックアップモータ１４１を回転させることで、ピックアップローラ１０７を原稿上面から退避させ、原稿を給紙ベルト１０９の搬送力のみで送ることにより、原稿先端は、プルアウトローラ１１２の上下ローラ対のニップに進入し、先端の整合（スキュー補正）が行われる。
【００２５】
プルアウトローラ１１２は、上記のスキュー補正機能を有すると共に、上記のようにスキュー補正された原稿を中間ローラ１１４まで搬送するためのローラであり、給紙モータ１４２の逆転により駆動される。なお、この給紙モータ１４２逆転時、プルアウトローラ１１２と中間ローラ１１４は駆動されるが、ピックアップローラ１０７と給紙ベルト１０９は駆動されていない。
【００２６】
原稿幅センサ１１３は、奥行き方向に複数個並べられ、プルアウトローラ１１２により搬送された原稿の搬送方向に直交する幅方向のサイズを検知する。また、原稿の搬送方向の長さは原稿の先端および後端を突き当てセンサ１１１で検知されるモータパルスから原稿の長さを検知する。
【００２７】
プルアウトローラ１１２および中間ローラ１１４の駆動によりレジスト部Ｃからターン部Ｄに原稿が搬送される際には、レジスト部Ｃでの搬送速度を第一読取搬送部Ｅでの搬送速度よりも高速に設定することにより、原稿を読取部１２０へ送り込む処理時間の短縮が図られている。原稿先端が読取入口センサ１１５により検出されると、読取入口ローラ１１６の上下ローラ対のニップに原稿先端が進入する前に、原稿搬送速度を読取搬送速度と同速にするために減速を開始する。また、これと同時に、読取モータ１４３を正転駆動して読取入口ローラ１１６、読取り出口ローラ１２３、およびＣＩＳ出口ローラ１２７を駆動する。原稿の先端をレジストセンサ１１７にて検知すると、所定の搬送距離をかけて減速し、読取部１２０の手前で一時停止すると共に、本体制御部１６０にレジスト停止信号を送信する。
【００２８】
続いて、コントローラ１４０が本体制御部１６０から読取り開始信号を受信すると、その制御により、レジスト停止していた原稿は、読取位置に原稿先端が到達するまでに所定の搬送速度に立上るように増速されて搬送される。読取モータ１４３のパルスカウントにより検出された原稿先端が読取部１２０に到達するタイミングで、コントローラ１４０から読取部１２０に対して第１面の副走査方向有効画像領域を示すゲート信号が、読取部１２０を原稿後端が抜けるまで送信される。このゲート信号に従い、読取部１２０は、コンタクトガラス１３２の下方より原稿の読み取りを行う。この読取部１２０で読み取った原稿の画像データは、デジタル信号処理部１５０の画像処理部１５１により所定の画像処理を施した上で、本体制御部１６０に送信される。なお、第１読取ローラ１１９は、読取部１２０における原稿の浮きを抑える。
【００２９】
片面原稿読取りの場合には、第一読取搬送部Ｅを通過した原稿は読取部１２５を経て排紙部Ｇへ搬送される。この際、排紙センサ１２４により原稿の先端を検知すると、排紙モータ１４４を正転駆動して排紙ローラ１２８を反時計方向に回転させる。また、排紙センサ１２４による原稿の先端検知からの排紙モータパルスカウントにより、原稿後端が排紙ローラ１２８の上下ローラ対のニップから抜ける直前に排紙モータ駆動速度を減速させて、排紙トレイ１２９上に排出される原稿が飛び出さない様に制御される。
【００３０】
両面原稿読取りの場合には、排紙センサ１２４にて原稿先端を検知してから読取モータ１４３のパルスカウントにより読取部１２５に原稿先端が到達するタイミングで、コントローラ１４０から読取部１２５に対してコントローラ１４０から副走査方向の有効画像領域を示すゲート信号が読取部１２０を原稿後端が抜けるまで送信される。このゲート信号に従い、読取部１２５は、読取部１２０で読み取った原稿面の裏面の読み取りを行う。この読取部１２５で読み取った原稿の画像データは、デジタル信号処理部１５０の画像処理部１５１により所定の画像処理（後述）を施した上で、本体制御部１６０に送信される。
【００３１】
次に、自動原稿搬送装置１０の電気的構成を説明する。
【００３２】
図２は、自動原稿搬送装置１０の電気的構成を示すブロック図である。
【００３３】
自動原稿搬送装置１０は、レジストセンサ１１７、セットセンサ１０５、原稿長さ検知センサ１３０、原稿長さ検知センサ１３１、排紙センサ１２４．突き当てセンサ１１１、原稿幅センサ１１３、読取入口センサ１１５、給紙適正位置センサ１０８、及び底板ＨＰセンサ１０６等のセンサを備える。また、自動原稿搬送装置１０は、操作部１７０、読取部１２５、読取部１２０（図２では図示省略、図１参照）、各種モータ１１を備える。
【００３４】
モータ１１は、ピックアップモータ１４１、給紙モータ１４２、読取モータ１４３、排紙モータ１４４、及び底板上昇モータ１４５等を含む。
【００３５】
また、自動原稿搬送装置１０は、コントローラ１４０及び本体制御部１６０を備える。コントローラ１４０とコントローラ１４０とは、インターフェース（Ｉ／Ｆ）１４７を介して電気的に接続されている。操作部１７０と本体制御部１６０とは電気的に接続されている。コントローラ１４０は、自動原稿搬送装置１０に設けられた装置各部と電気的に接続されている。具体的には、コントローラ１４０は、レジストセンサ１１７、セットセンサ１０５、原稿長さ検知センサ１３０、原稿長さ検知センサ１３１、排紙センサ１２４．突き当てセンサ１１１、原稿幅センサ１１３、読取入口センサ１１５、給紙適正位置センサ１０８、及び底板ＨＰセンサ１０６等のセンサと、読取部１２５と、モータ１１と、に電気的に接続されている。
【００３６】
コントローラ１４０は、上記センサや、読取部１２５や、各種モータ１１の駆動等を制御する。コントローラ１４０は、本体制御部１６０によって制御される。本体制御部１６０は、自動原稿搬送装置１０に設けられた装置各部を制御する。
【００３７】
ここで、本実施の形態の自動原稿搬送装置１０の読取部１２５では、光源から照射対象部材に照射した光の反射光を読取ることで、原稿の画像データを取得する。この照射対象部材は、本実施の形態では、自動原稿搬送装置１０で読取対象の原稿や、シェーディング補正に用いる濃度基準部材Ｊである。なお、読取部１２０についても、読取部１２５と同様の構成としてもよい。
【００３８】
濃度基準部材Ｊは、白色の基板であり、読取部１２５によって読み取られる領域の濃度（白色度）が一定の部材である。読取部１２５は、第１時間（詳細後述）に、濃度基準部材Ｊを読取ることによって得たデータを、光源や光学系の影響により生じた濃度ムラを含む画像から濃度ムラを除くシェーディング補正に用いる。
【００３９】
なお、原稿を読取ることによって得た画像データは、原稿による反射光を受光した複数の光電変換素子２０１Ｂから出力された出力信号の出力レベルの強度分布によって示されるデータである。
【００４０】
また、第１時間に、濃度基準部材Ｊによる反射光を受光した複数の光電変換素子２０１Ｂから出力された出力信号の出力レベルの強度分布によって示される、上記シェーディング補正に用いるデータを、シェーディングデータと称して説明する。
【００４１】
なお、図１に示すように、濃度基準部材Ｊは、読取部１２５に設けられた後述する光源から出射した光を照射され、且つ読取部１２５で該光の照射領域を読取り可能な位置に設ければよい。また、第２読取りローラ１２６の外周面を濃度基準部材Ｊの特性を満たす白色とすることで、第２読取りローラ１２６を、濃度基準部材Ｊを兼ねた構成としてもよい。本実施の形態では、第２読取りローラ１２が、濃度基準部材Ｊを兼ねた構成である場合を説明する。
【００４２】
次に、読取部１２５について詳細に説明する。
【００４３】
図３は、読取部１２５の電気的構成を示すブロック図である。
【００４４】
読取部１２５は、光源部２００、受光部２０１、アンプ回路２０２、Ａ／Ｄコンバータ２０３、黒補正部２０４、白補正部２０５、画像処理部２０６、フレームメモリ２０７、出力制御回路２０８、及びＩ／Ｆ回路２０９を含む。
【００４５】
光源部２００は、原稿や濃度基準部材Ｊ等の照射対象部材に光を照射する。光源部２００には、ＬＥＤ、蛍光灯、あるいは冷陰極管等を用いる。
【００４６】
光源部２００から照射された光は、原稿または濃度基準部材Ｊによって反射され、反射光は受光部２０１に入射される。すなわち、光源部２００によって光を照射される位置（すなわち、読取部１２５によって読み取られる位置）に原稿が位置している場合には、原稿による反射光が受光部２０１に入射される。一方、光源部２００によって光を照射される位置に、原稿が位置していない場合には、濃度基準部材Ｊによる反射光が受光部２０１に入射される。
【００４７】
受光部２０１は、複数のレンズ２０１Ａと、複数の光電変換素子２０１Ｂと、を備える。複数のレンズ２０１Ａは、原稿の搬送方向に対して交差する方向（第１方向）（以下、主走査方向と称する）に配列されている。複数の光電変換素子２０１Ｂも、主走査方向に沿って配列されている。
【００４８】
複数のレンズ２０１Ａ及び複数の光電変換素子２０１Ｂは、光源部２００からの反射光が入射される側からこの順に配置されている。
【００４９】
光電変換素子２０１Ｂは、光源部２００から出射した光の原稿または濃度基準部材Ｊによる反射光を受光する。光電変換素子２０１Ｂは、受光した反射光を光電変換し、受光した反射光の光量に応じた強度の出力信号を出力する。１つの光電変換素子２０１Ｂが、自動原稿搬送装置１０で読み取った画像データの画像の各画素を構成する。各光電変換素子２０１Ｂは、出力信号をアンプ回路２０２へ出力する。
【００５０】
光電変換素子２０１Ｂの光入射側には、レンズ２０１Ａが設けられている。レンズ２０１Ａは、原稿または濃度基準部材Ｊによる反射光を、光電変換素子２０１Ｂに集光させる。本実施の形態では、１のレンズ２０１Ａに対して、複数の光電変換素子２０１Ｂが予め対応づけて位置決めされて設置されている（詳細後述）。
【００５１】
アンプ回路２０２は、光電変換素子２０１Ｂ毎に対応して設けられており、各光電変換素子２０１Ｂに１対１の関係で個別に接続されている。Ａ／Ｄコンバータ２０３は、アンプ回路２０２毎に設けられており、アンプ回路２０２に１対１の関係で個別に接続されている。
【００５２】
アンプ回路２０２は、光電変換素子２０１Ｂから受け付けた出力信号を増幅した後に、Ａ／Ｄコンバータ２０３に出力する。Ａ／Ｄコンバータ２０３では、受け付けた出力信号を、アナログ信号からデジタル信号に変換した後に、黒補正部２０４へ出力する。
【００５３】
黒補正部２０４は、複数のＡ／Ｄコンバータ２０３から受け付けた出力信号の群である画像データに含まれる黒レベルオフセットを除去し、白補正部２０５へ出力する。白補正部２０５は、黒補正部２０４から出力された画像データに、シェーディングデータを用いたシェーディング補正を行う（詳細後述）。
【００５４】
画像処理部２０６は、白補正部２０５でシェーディング補正された画像データに、ライン間補間等の公知の画像処理を行い、フレームメモリ２０７に記憶する。出力制御回路２０８は、フレームメモリ２０７に記憶された画像データを、本体制御部１６０で処理可能なデータ形式に変換する。変換された画像データは、Ｉ／Ｆ回路２０９を介して本体制御部１６０へ出力される。
【００５５】
なお、コントローラ１４０からは、原稿の先端（搬送方向上流側端部）が読取部１２５による読取り位置に達したことを示すタイミング信号や、光源部２００の点灯を制御する点灯信号、及び電源等が出力される。
【００５６】
次に、受光部２０１及び白補正部２０５について、詳細を説明する。
【００５７】
図４は、受光部２０１、及び受光部２０１から出力された出力信号の説明図である。
【００５８】
図４（Ａ）に示すように、受光部２０１は、レンズ２０１Ａと光電変換素子２０１Ｂとを備える。上述したように、レンズ２０１Ａ及び光電変換素子２０１Ｂもまた、主走査方向に沿って複数配列されている。また、本実施の形態では、１のレンズ２０１Ａに対して、複数の光電変換素子２０１Ｂが予め対応づけて位置決めされて設置されている。このため、１つのレンズ２０１Ａは、複数の光電変換素子２０１Ｂに向かって反射光を集光させる。
【００５９】
ここで、集光機能を有するレンズ２０１Ａは、レンズ２０１Ａの端部から中央部に向かって反射光の集光率が高い。このため、レンズ２０１Ａの中央部に対応する位置に配置された光電変換素子２０１Ｂは、受光部２０１の端部に対応する位置に配置された光電変換素子２０１Ｂに比べて、高い光量の反射光を受光することとなり、より高い出力レベルの出力信号を生成することとなる。
【００６０】
図４（Ｂ）は、主走査方向に配列された光電変換素子２０１Ｂの該主走査方向における位置と、各光電変換素子２０１Ｂの各々から出力される出力信号の出力レベルと、の関係を示す線図である（図４（Ｂ）中、線図Ｐ参照）。
【００６１】
図４（Ｂ）に示すように、主走査方向に配列された光電変換素子２０１Ｂの各々から出力される出力信号の出力レベルは、レンズ２０１Ａの中心付近に対応する位置に位置する光電変換素子２０１Ｂでは高く、レンズ２０１Ａの端部に対応する位置に位置する光電変換素子２０１Ｂでは低くなる。
【００６２】
このため、複数の光電変換素子２０１Ｂから出力される出力信号は、複数のレンズ２０１Ａの配列周期に応じた周期的なピーク（出力レベルの高い位置）を示すものとなる（図４（Ｂ）中、線図Ｐ参照）。
【００６３】
そこで、白補正部２０５では、シェーディングデータを用いて、これらの複数の光電変換素子２０１Ｂから出力された出力信号の群である画像データについて、シェーディング補正を行う。
【００６４】
図５は、シェーディングデータの説明図である。
【００６５】
図５（Ａ）に示すように、濃度基準部材Ｊによる反射光が受光部２０１で受光される。すると、濃度基準部材Ｊによる反射光は、レンズ２０１Ａによって、複数の光電変換素子２０１Ｂへ集光される。すると、図５（Ｂ）に示すように、複数の光電変換素子２０１Ｂから出力される出力信号の出力レベルの強度分布は、複数のレンズ２０１Ａの配列周期に応じた周期的なピーク（出力レベルの高い位置）を示すものとなる。白補正部２０５では、濃度基準部材Ｊの読取結果であり、上記強度分布を示すシェーディングデータ（図５（Ｂ）中、線図ＰＡ参照）を用いて、公知のシェーディング補正を行う。
【００６６】
このシェーディングデータの出力信号のピーク位置が一定であれば、精度よくシェーディング補正を行うことができる。しかし、複数の光電変換素子２０１Ｂから出力される出力信号の出力レベルの強度分布のピーク位置が、ずれる場合がある。すなわち、受光部２０１に含まれる複数の光電変換素子２０１Ｂの内、出力レベルの高い出力信号を出力する光電変換素子２０１Ｂの位置が、ずれる場合がある。
【００６７】
これは、主走査方向に配列された複数のレンズ２０１Ａと、主走査方向に配列された複数の光電変換素子２０１Ｂと、の主走査方向における相対的な位置関係にずれが生じるためである。このような位置関係のずれは、光源部２００の連続点灯による発熱等によって、レンズ２０１Ａ及び光電変換素子２０１Ｂの少なくとも一方が熱膨張することによって生じる。このため、時間の経過に応じて、このようなずれが大きくなると考えられる。
【００６８】
図６は、レンズ２０１Ａが主走査方向に熱膨張した場合の一例を示す模式図である。
【００６９】
図６（Ａ）に示すように、複数のレンズ２０１Ａが熱膨張していない状態では、レンズ２０１Ａは、図６（Ａ）中、レンズ２０１Ａ１で示される位置に位置していたとする。このとき、各レンズ２０１Ａは、主走査方向に連続して配列される予め定めた数の光電変換素子２０１Ｂの群毎に、各群の主走査方向中央に位置する光電変換素子２０１Ｂと、レンズ２０１Ａ（受光部２０１Ａ１）の中心位置（集光率の最も高い位置）と、の主走査方向における位置が一致するように、位置決めされていたとする（以下、「主走査位置中心で位置決め」と称する場合がある）。すなわち、自動原稿搬送装置１０において原稿の搬送がされて原稿の読取が開始されるジョブ開始時には、レンズ２０１Ａは、図６（Ａ）中、レンズ２０１Ａ１で示される位置に位置していたとする。
【００７０】
そして、ジョブ開始からの時間経過（例えば、Ｎ分経過（Ｎは０を超える数））によりレンズ２０１Ａが主走査方向に熱膨張したとする。この場合、複数のレンズ２０１Ａは、図６（Ａ）中の矢印Ｙ方向（主走査方向における一方の方向）に熱膨張することにより、図６（Ａ）中、レンズ２０１Ａ１で示される位置からレンズ２０１Ａ２で示される位置にずれる。
【００７１】
すると、ジョブ開始時に、各レンズ２０１Ａにおいて、最も高い集光率で反射光が集光される位置に位置していた光電変換素子２０１Ｂとは異なる位置の光電変換素子２０１Ｂに、最も高い集光率で反射光が集光されることとなる。
【００７２】
このため、複数の光電変換素子２０１Ｂから出力される出力信号のピーク位置がずれる。すなわち、受光部２０１に含まれる複数の光電変換素子２０１Ｂの内、出力レベルの高い出力信号を出力する光電変換素子２０１Ｂの位置がずれる。
【００７３】
すると、複数の光電変換素子２０１Ｂから出力された出力信号の出力レベルの強度分布は、レンズ２０１Ａによる最も高い集光率を示す位置ずれに応じた方向に、該ずれに応じたずれ量、ずれたものとなる。具体的には、図６（Ｂ）に示すように、ジョブ開始時には、線図ＰＡ１で示される強度分布であったシェーディングデータが、ピーク位置がずれ量ＸＡだけ矢印Ｙ方向にずれて、線図ＰＡ２で示される強度分布を示すこととなる。
【００７４】
図７は、光電変換素子２０１Ｂが主走査方向に熱膨張した場合の一例を示す模式図である。
【００７５】
図７（Ａ）に示すように、複数の光電変換素子２０１Ｂが熱膨張していない状態では、光電変換素子２０１Ｂは、図７（Ａ）中、光電変換素子２０１Ｂ１で示される位置に位置していたとする。このとき、図６と同様に、主走査位置中心で位置決めされていたとする。すなわち、自動原稿搬送装置１０において原稿の搬送がされて原稿の読取が開始されるジョブ開始時には、光電変換素子２０１Ｂは、図７（Ａ）中、光電変換素子２０１Ｂ１で示される位置に位置していたとする。
【００７６】
そして、ジョブ開始からの時間経過（例えば、Ｎ分経過（Ｎは０を超える数））により光電変換素子２０１Ｂが主走査方向に熱膨張したとする。この場合、複数の光電変換素子２０１Ｂは、図７（Ａ）中の矢印Ｙ方向（主走査方向における一方の方向）に熱膨張することにより、図７（Ａ）中、光電変換素子２０１Ｂ１で示される位置から光電変換素子２０１Ｂ２で示される位置にずれる。
【００７７】
すると、ジョブ開始時に、対応する位置に配置されたレンズ２０１Ａから最も高い集光率で反射光が集光される位置に位置していた光電変換素子２０１Ｂとは異なる位置の光電変換素子２０１Ｂに、最も高い集光率で反射光が集光されることとなる。
【００７８】
このため、複数の光電変換素子２０１Ｂから出力される出力信号のピーク位置が、ずれる。すなわち、受光部２０１に含まれる複数の光電変換素子２０１Ｂの内、出力レベルの高い出力信号を出力する光電変換素子２０１Ｂの位置がずれる。
【００７９】
具体的には、ジョブ開始時には、複数の光電変換素子２０１Ｂにおける、主走査方向の端部から数えてｎ画素目（ｎは１以上の整数）に位置している光電変換素子２０１Ｂに集光されていた強度の反射光は、光電変換素子２０１Ｂの熱膨張に応じてずれた位置（例えば、ｎ＋１画素目）に位置している光電変換素子２０１Ｂに集光されることとなる。
【００８０】
すると、複数の光電変換素子２０１Ｂから出力された出力信号の出力レベルの強度分布は、レンズ２０１Ａによる最も高い集光率を示す位置の位置ずれに応じた方向に、該ずれに応じたずれ量、ずれたものとなる。具体的には、図７（Ｂ）に示すように、ジョブ開始時には、線図ＰＢ１で示される強度分布におけるピーク位置が、ずれ量ＸＢだけ、矢印Ｙ方向とは逆方向にずれて、線図ＰＢ２で示される強度分布となる。
【００８１】
例えば、熱膨張によって、複数の光電変換素子２０１Ｂが、光電変換素子２０１Ｂの１つ分（すなわち１画素分）ずれたとすると、ジョブ開始時には、線図ＰＢ１で示される強度分布におけるピーク位置が、１画素分だけ矢印Ｙ方向とは逆方向にずれて、線図ＰＢ２で示される強度分布となる。
【００８２】
このため、複数の光電変換素子２０１Ｂから出力された出力信号の出力レベルの強度分布におけるピーク位置のずれ量を算出することで、複数のレンズ２０１Ａと、複数の光電変換素子２０１Ｂと、の主走査方向における相対的なずれ量を算出することができる。
【００８３】
なお、ピーク位置のずれ量は、複数のレンズ２０１Ａと、複数の光電変換素子２０１Ｂと、の主走査方向における相対的なずれ量を示す。このため、複数のレンズ２０１Ａと、複数の光電変換素子２０１Ｂと、の双方が熱膨張した場合についても、ピーク位置のずれ量を算出することで、数のレンズ２０１Ａと、複数の光電変換素子２０１Ｂと、の主走査方向における相対的なずれ量を算出することができる。
【００８４】
図３に戻り、そこで、本実施の形態では、白補正部２０５は、算出部２０５Ａ及び補正部２０５Ｂを備える。
【００８５】
算出部２０５Ａは、第１時間における、濃度基準部材Ｊからの反射光を受光することで複数の光電変換素子２０１Ｂから出力された出力信号の出力レベルの強度分布によって示されるデータ（すなわち、シェーディングデータ）のピーク位置と、第２時間における、濃度基準部材Ｊからの反射光を受光することで複数の光電変換素子２０１Ｂから出力された出力信号の出力レベルの強度分布によって示されるデータのピーク位置と、の主走査方向におけるずれ量を算出する。
【００８６】
第１時間は、例えば、ジョブ開始時、またはジョブ開始前の時間である。第２時間は、第１時間からジョブが開始されて所定時間経過後の時間であればよい。本実施の形態では、第２時間は、ジョブ開始から予め定めた時間経過後である場合を説明する。なお、ジョブ開始である第１時間から、所定時間経過する毎に、第２時間を定めてもよい。
【００８７】
濃度基準部材Ｊからの反射光を受光することで複数の光電変換素子２０１Ｂから出力された出力信号の出力レベルの強度分布のピーク位置の算出方法には、例えば、下記方法を用いる。
【００８８】
具体的には、複数の光電変換素子２０１Ｂから出力された出力信号の出力レベルの強度分布について、主走査方向における各位置に位置する光電変換素子２０１Ｂから出力された出力信号を、主走査方向の端部から順に読取る。そして、勾配の変化点、すなわち、今回読み取った光電変換素子２０１Ｂからの出力信号と、１つ前に読み取った（隣）の光電変換素子２０１Ｂからの出力信号と、の差分が、正の値から負の値に転じたときの、該一つ前に読み取った光電変換素子２０１Ｂの主走査方向における位置を、ピーク位置として求める。
【００８９】
このとき、算出部２０５Ａは、１つのレンズ２０１Ａによって反射光を集光される予め定められた数の主走査方向に連続する光電変換素子２０１Ｂ毎に、出力信号を順に読取り、各群毎にピーク位置を求め、これらの平均値を、ピーク位置として用いてもよい。また、算出部２０５Ａは、予め定めた１つの群に属する光電変換素子２０１Ｂによる出力信号のピーク位置を用いてもよい。なお、ピーク位置の算出は、上記方法に限られず、任意の方法を用いればよい。
【００９０】
補正部２０５Ｂは、算出部２０５Ａで算出されたピーク位置のずれ量を相殺するように、シェーディングデータ（すなわち、第１時間に取得した出力信号の強度分布による画像データ）を補正する。そして、白補正部２０５では、補正されたシェーディングデータを用いて、原稿の読取結果である画像データをシェーディング補正する。
【００９１】
なお、本実施の形態では、光源部２００は、光源部２００と、導光部２００Ａと、を含む照射部として構成する（図８参照）。
【００９２】
図８は、照射部の構成の一例を示す模式図である。
【００９３】
導光部２００Ａは、主走査方向に長く、光を導光する部材である。導光部２００Ａは、主走査方向の両端面から光が入射されると、入射された光を主走査方向に導光すると共に、主走査方向に対して交差する方向に出射する。導光部２００Ａは、読取部１２５による原稿や濃度基準部材Ｊの読取位置に光を照射するように設けられている。
【００９４】
光源部２００は、導光部２００Ａの主走査方向の両端面の各々に向かって光を照射する。このため、光源部２００から出射した光は、導光部２００Ａを介して、読取部１２５による読取り位置に搬送された原稿、または濃度基準部材Ｊに照射される。
【００９５】
図８に示すように、この場合、光源部２００は、導光部２００Ａの主走査方向の両端部に配置されているため、主走査方向の端部ほど温度が高い。このため、主走査方向に沿って配列された複数のレンズ２０１Ａ及び複数の光電変換素子２０１Ｂに加わる熱（温度）は、主走査方向中央部に比べて主走査方向端部の方が高くなる。すると、複数のレンズ２０１Ａの各々、及び複数の光電変換素子２０１Ｂの各々では、主走査方向における配置位置に応じて異なる熱膨張率を示すこととなる。
【００９６】
図３に戻り、そこで、補正部２０５Ｂでは、主走査方向における配置位置に応じた重み付けを行い、シェーディングデータを補正する。
【００９７】
この場合、まず、算出部２０５Ａが、ピーク位置のずれ量を算出する。次に、補正部２０５Ｂが、算出部２０５Ａで算出されたずれ量を、各光電変換素子２０１Ｂ（各画素）毎に重み付けをして分配する。すなわち、補正部２０５Ｂは、算出部２０５Ａで算出された、複数のレンズ２０１Ａ及び複数の光電変換素子２０１Ｂの全体の主走査方向における相対的なずれ量から、各画素毎（各光電変換素子２０１Ｂ毎）のずれ量を算出する。なお、以下では、各画素毎（各光電変換素子２０１ＢＧ毎）のずれ量を、第１ずれ量と称して説明する。
【００９８】
次に、補正部２０５Ｂが、主走査方向の各位置の各光電変換素子２０１Ｂ（各画素）における、分配された第１ずれ量の整数部と小数部を算出する。
【００９９】
次に、算出部２０５Ａは、光電変換素子２０１Ｂ（各画素）毎の第１ずれ量を加味した上で、シェーディングデータを補正する。
【０１００】
補正部２０５Ｂの処理について、具体的に説明する。
【０１０１】
まず、補正部２０５Ｂが、算出部２０５Ａで算出されたずれ量を、各光電変換素子２０１Ｂ（各画素）毎に重み付けをして分配する。すなわち、補正部２０５Ｂは、算出部２０５Ａで算出されたずれ量から、各光電変換素子２０１Ｂ毎の第１ずれ量を算出する。
【０１０２】
一例として、下記式（１）に示す２次の多項式を用いて、光電変換素子２０１Ｂ毎の第１ずれ量を算出する場合を説明する。なお、光電変換素子２０１Ｂ毎の第１ずれ量の算出は、この方法に限られず、２次の多項式を用いた方法に限られない。
【０１０３】
ｓｈｉｆｔ（ｎ）  ＝α＊Ｘ＊（ｎ-ｎ＿ｃｅｎｔｅｒ）２・・・・式（１）
【０１０４】
式（１）中、ｓｈｉｆｔは、画素毎（光電変換素子２０１Ｂ毎）の第１ずれ量を示す。式（１）中、Ｘは、算出部２０５Ａで算出されたずれ量を示す。すなわち、Ｘは、複数のレンズ２０１Ａ及び複数の光電変換素子２０１Ｂの全体の、主走査方向の相対的なずれ量を示す。ｎは、主走査方向における位置を示す。本実施の形態では、ｎは、１以上の整数を示し、主走査方向の一端部の画素をｎ＝１とし、該端部から主走査方向の他端部に向かって順に、１ずつカウントアップした値を定める。
【０１０５】
また、式（１）中、ｎ＿ｃｅｎｔｅｒは、主走査中心(位置決めをしている位置)を示す。また、式（１）中、αは、重み係数を示す。αには、経時により加わる温度の高い位置に配置された光電変換素子２０１Ｂであるほど、大きい値を定める。
【０１０６】
図８に示すように、熱源である光源部２００を主走査方向の両端部に配置している場合には、受光部２０１に加わる温度は、主走査方向の中央部に比べて両端部が高くなる。このため、上記式（１）といった近似式を用いることで、第１ずれ量を算出できる。
【０１０７】
なお、式（１）中、αは、製造された自動原稿搬送装置１０毎に算出してもよいし、各材料部材の乗数から、製造された全ての自動原稿搬送装置１０で一律に設定してもよい。
【０１０８】
次に、補正部２０５Ｂが、各光電変換素子２０１Ｂ（各画素）における、分配された第１ずれ量の整数部と小数部を算出する。
【０１０９】
補正部２０５Ｂは、上記式（１）を用いて算出した各画素（各光電変換素子２０１Ｂ）毎の第１ずれ量における、整数部の値と、小数部の値と、を算出する。すなわち、式（１）を用いて算出した第１ずれ量の値が「１．７」である場合には、整数部として「１」を、小数部として「０．７」を算出する。
【０１１０】
次に、算出部２０５Ａは、光電変換素子２０１Ｂ（各画素）毎の第１ずれ量を加味した上で、シェーディングデータを補正する。
【０１１１】
図９は、式（１）を用いて算出した第１ずれ量の値が、整数部のみであり、小数部を含まない場合の、シェーディングデータの補正を示す説明図である。
【０１１２】
なお、図９中、ＳＤは、シェーディングデータを示す。また、図９中、ＳＤ＿ｎｅｗは、補正部２０５Ｂによって補正された後のシェーディングデータを示す。図１０、図１１についても同様である。
【０１１３】
なお、図９〜図１１に示す例では、ピーク位置が、主走査方向における一方の方向（図９〜図１１では、右方向）に、１画素分ずれた場合を説明している。
【０１１４】
図９に示すように、算出部２０５Ａでは、第１ずれ量が整数部のみの値であった光電変換素子２０１Ｂについては、シェーディングデータにおける該光電変換素子２０１Ｂからの出力信号に対応する画素の画素値を、第１ずれ量（ここでは１画素分）ずれた位置の画素の画素値とする。これによって、シェーディングデータを補正する。すなわち、シェーディングデータのｎ画素目の画素値を、ｎ＋１画素目にシフトさせる。
【０１１５】
図１０は、式（１）を用いて算出した第１ずれ量の値が、小数部のみであり、整数部を含まない場合の、シェーディングデータの補正を示す説明図である。
【０１１６】
図１０に示すように、算出部２０５Ａでは、第１ずれ量が小数部のみの値であった光電変換素子２０１Ｂについては、シェーディングデータにおける、該光電変換素子２０１Ｂからの出力信号に対応する画素の画素値を、該画素値と、該光電変換素子２０１Ｂからずれ方向に隣接する光電変換素子２０１Ｂの出力信号に対応する画素の画素値と、を用いて、補間した値とする。
【０１１７】
詳細には、算出部２０５Ａでは、第１ずれ量が小数部のみの値であった光電変換素子２０１Ｂについては、シェーディングデータにおける、該光電変換素子２０１Ｂからの出力信号に対応する画素の画素値を、該画素値と、該光電変換素子２０１Ｂからずれ方向に隣接する光電変換素子２０１Ｂの出力信号に対応する画素の画素値と、を第１ずれ量に応じた重み付けを行った上で、補間する。
【０１１８】
具体的には、式（１）を用いて算出した第１ずれ量が「０．７」であったとする。この場合、算出部２０５Ａでは、下記式（２）を用いて、シェーディングデータにおける、第１ずれ量が小数部のみの値であった光電変換素子２０１Ｂからの出力信号に対応する画素の画素値を補正している。
【０１１９】
ＳＤ＿ｎｅｗ（ｎ）＝ＳＤ（ｎ）＊０．３＋ＳＤ（ｎ＋１）＊０．７・・・式（２）
【０１２０】
式（２）中、ＳＤ＿ｎｅｗ（ｎ）は、シェーディングデータにおける、第１ずれ量が「０．７」であった光電変換素子２０１Ｂから出力された出力信号に対応する画素の画素値の、補正後の値である。ＳＤ（ｎ）は、シェーディングデータにおける、第１ずれ量が「０．７」であった光電変換素子２０１Ｂから出力された出力信号に対応する画素の画素値を示している。ＳＤ（ｎ＋１）は、シェーディングデータにおける、第１ずれ量が「０．７」であった光電変換素子２０１Ｂに対して、主走査方向におけるピーク位置のずれ方向に隣接する光電変換素子２０１Ｂから出力された出力信号に対応する画素の画素値を示す。
【０１２１】
なお、図１０では、主走査方向に隣接する２つの画素の画素値から、補間する例を示しているが、コンボリューション補間等の他の補間方法を用いてもよい。
【０１２２】
図１１は、式（１）を用いて算出した第１ずれ量の値が、整数部と小数部を含む場合での、シェーディングデータの補正を示す説明図である。
【０１２３】
図１１に示すように、算出部２０５Ａでは、第１ずれ量の値が、整数部と小数部とからなる値であった光電変換素子２０１Ｂについては、シェーディングデータにおける、該光電変換素子２０１Ｂからの出力信号に対応する画素の画素値を、該画素値と、該光電変換素子２０１Ｂから主走査方向におけるずれ方向に、整数部によって示される値(画素)分ずれた位置に位置する光電変換素子２０１Ｂの出力信号に対応する画素の画素値と、を用いて、補間した値とする。
【０１２４】
なお、図１０と同様に、算出部２０５Ａは、これらの画素値を用いて、式（１）を用いて算出した第１ずれ量に応じた重み付けを行った上で、補間する。
【０１２５】
次に、自動原稿搬送装置１０で実行する読取処理を説明する。
【０１２６】
図１２は、自動原稿搬送装置１０で実行する読取処理の手順を示すフローチャートである。
【０１２７】
まず、コントローラ１４０が、原稿を読取る読取処理としてのジョブ開始前に、光源部２００を消灯制御する（ステップＳ５００）。ステップＳ５００の処理によって、光源部２００からの光照射が停止される。
【０１２８】
次に、黒補正部２０４が、画素単位で基準黒レベルを生成する（ステップＳ５０２）。
【０１２９】
次に、コントローラ１４０が、光源部２００を点灯制御する（ステップＳ５０４）。
【０１３０】
次に、白補正部２０５が基準白レベルを生成する（ステップＳ５０６）。ステップＳ５０６では、白補正部２０５は、第１時間（すなわち、ステップＳ５１２以降の処理によるジョブ開始より前の時間）において、シェーディングデータを生成する。
【０１３１】
次に、算出部２０５Ａが、ステップＳ５０６で得たシェーディングデータの内、ピーク位置の算出に用いる予め定めた群の光電変換素子２０１Ｂから出力された出力信号の出力レベルを、基準レベルとして算出する（ステップＳ５０８）。
【０１３２】
次に、算出部２０５Ａが、基準位置を算出する（ステップＳ５１０）。ステップＳ５１０では、算出部２０５Ａは、基準位置として、シェーディングデータにおけるピーク位置（第１ピーク位置）の算出を行う。
【０１３３】
次に、自動原稿搬送装置１０では、画像読取を開始する（ステップＳ５１２）。ステップＳ５１２では、コントローラ１４０の制御によって、自動原稿搬送装置１０の装置各部が制御され、原稿が順次搬送されると共に、各原稿の画像を読取る画像読取処理（ジョブ）が開始される。
【０１３４】
次に、算出部２０５Ａが、現在（第２時間）、濃度基準部材Ｊからの反射光を受光することで光電変換素子２０１Ｂから出力された出力振動の強度分布におけるピーク位置（第２ピーク位置）を算出し、ステップＳ５１０で算出した第１ピーク位置とのずれ量を算出する（ステップＳ５１４）。
【０１３５】
次に、算出部２０５Ａは、画素毎（光電変換素子２０１Ｂ毎）の第１ずれ量を算出する（ステップＳ５１６）。
【０１３６】
次に、算出部２０５Ａは、シェーディングデータと、濃度基準部材Ｊからの反射光を受光することで光電変換素子２０１Ｂから出力された出力振動の強度分布と、における出力レベルの比を算出し、光量変化率を補正する補正係数を算出する（ステップＳ５１８）。
【０１３７】
次に、算出部２０５Ａは、シェーディングデータを補正する（ステップＳ５２０）。そして、補正後の新たなシェーディングデータを、図示を省略するメモリへ記憶する（ステップＳ５２２）。白補正部２０５では、補正後の新たなシェーディングデータを用いて、ステップＳ５１２で読取った画像の画像データについて、シェーディング補正を行う。
【０１３８】
次に、コントローラ１４０が、各センサからの信号を判別することで、次原稿があるか否かを判断する（ステップＳ５２４）。ステップＳ５２４で肯定判断すると（ステップＳ５３４：Ｙｅｓ）、上記ステップＳ５１２へ戻る。
【０１３９】
なお、ステップＳ５１４〜ステップＳ５２４の処理は、ステップＳ５２４で肯定判断（ステップＳ５２４：Ｙｅｓ）した後で、且つステップＳ５１２の処理前に実行してもよい。
【０１４０】
一方、ステップＳ５２４で否定判断すると（ステップＳ５２４：Ｎｏ）、ステップＳ５２６へ進む。ステップＳ５２６では、画像読取を終了する読取終了処理を実行し（ステップＳ５２６）、本ルーチンを終了する。
【０１４１】
以上説明したように、本実施の形態の自動原稿搬送装置１０では、算出部２０５Ａが、第１時間における、濃度基準部材Ｊからの反射光を受光することで複数の光電変換素子２０１Ｂから出力された出力信号の出力レベルの強度分布（すなわち、シェーディングデータ）のピーク位置（第１ピーク位置）と、第２時間における、濃度基準部材Ｊからの反射光を受光することで複数の光電変換素子２０１Ｂから出力された出力信号の出力レベルの強度分布のピーク位置（第２ピーク位置）と、の主走査方向におけるずれ量を算出する。
【０１４２】
補正部２０５Ｂは、算出部２０５Ａで算出されたピーク位置のずれ量を相殺するように、シェーディングデータ（すなわち、第１時間に取得した出力信号の強度分布による画像データ）を補正する。そして、白補正部２０５では、補正されたシェーディングデータを用いて、原稿の読取結果である画像データをシェーディング補正する。
【０１４３】
従って、濃度基準部材Ｊからの反射光を受光することで複数の光電変換素子２０１Ｂから出力された出力信号の出力レベルの強度分布（シェーディングデータ）のピーク位置がずれることによって生じる、読取画像へのスジの発生を抑制することができる。
【０１４４】
また、上記ステップＳ５１４〜ステップＳ５２２の処理に要する時間は、ステップＳ５０６〜ステップＳ５１０の処理に要する時間に比べて短い。このため、本実施の形態の自動原稿搬送装置１０では、読取画像に発生するスジを抑制しつつ、且つ、高速で画像を読取ることができる。
【０１４５】
また、本実施の形態では、原稿を１枚読取る毎にシェーディングデータを新たに生成する必要がない。このため、読取画像に発生するスジを抑制しつつ、且つ、高速で画像を読取ることができる。
【０１４６】
なお、読取部１２０と読取部１２５といったように、複数の読取部を備えた構成とし、原稿の両面を同時に読取る構成においては、一方の読取部が本実施の形態で説明した受光部２０１のようなレンズによって反射光を集光させる構成である場合、スジ対策のために１枚毎にシェーディングデータを生成する必要があった。一方、本実施の形態の自動原稿搬送装置１０によれば、読取画像に発生するスジを抑制することができるので、複数の読取部を備えた自動原稿搬送装置１０に特に効果的である。
【０１４７】
また、本実施の形態の画像読取装置１２を、公知の画像形成装置に搭載することで、高速で且つ読取画像に含まれるスジを抑制した読取機能を備えた画像形成装置を提供することができる。画像形成装置には、画像読取機能として、本実施の形態の画像読取装置１２を用いる以外は、公知の画像形成装置を用いればよい。
【０１４８】
画像形成装置としては、コピー機能、プリンタ機能、スキャナ機能、及びファクシミリ機能等を備えた公知の画像形成装置が挙げられる。
【０１４９】
なお、本実施の形態の自動原稿搬送装置１０及び画像読取装置１２は、通常のコンピュータを利用したハードウェア構成となっている。
【０１５０】
本実施の形態の自動原稿搬送装置１０及び画像読取装置１２で実行される画像読取処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１５１】
また、本実施の形態の自動原稿搬送装置１０及び画像読取装置１２で実行される画像読取処理を実行するためのプログラムを、インターネット等のネットワークに接続されたコンピュータ上に格納し、ネットワーク経由でダウンロードさせることにより提供するように構成してもよい。また、本実施の形態の自動原稿搬送装置１０及び画像読取装置１２で実行される画像読取処理を実行するためのプログラムをインターネット等のネットワーク経由で提供または配布するように構成してもよい。
【０１５２】
また、本実施の形態の自動原稿搬送装置１０及び画像読取装置１２で実行される画像読取処理を実行するためのプログラムを、ＲＯＭ等に予め組み込んで提供するように構成してもよい。
【０１５３】
なお、本実施の形態の自動原稿搬送装置１０及び画像読取装置１２の制御部は、上述した処理を実行するための機能部を含むモジュール構成となっており、実際のハードウェアとしてはＣＰＵ（プロセッサ）が記憶媒体から、各処理を実行するためのプログラムを読み出して実行することにより上記各機能部が主記憶装置上にロードされ、主記憶装置上に生成されるようになっている。
【０１５４】
なお、上記には、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０１５５】
１０  自動原稿搬送装置
１２  画像読取装置
２００  光源部
２００Ａ  導光部
２０１Ａ  レンズ
２０１Ｂ  光電変換素子
２０５  白補正部
２０５Ａ  算出部
２０５Ｂ  補正部
【先行技術文献】
【特許文献】
【０１５６】
【特許文献１】特開２００６−１３８５２号公報
【図１】
2014060558.tif 000003
【図２】
2014060558.tif 000004
【図３】
2014060558.tif 000005
【図４】
2014060558.tif 000006
【図５】
2014060558.tif 000007
【図６】
2014060558.tif 000008
【図７】
2014060558.tif 000009
【図８】
2014060558.tif 000010
【図９】
2014060558.tif 000011
【図１０】
2014060558.tif 000012
【図１１】
2014060558.tif 000013
【図１２】
2014060558.tif 000014